(57)【特許請求の範囲】
【請求項１】
ヒータブロックの上に蓄熱ボードを積層すると共に蓄熱ボードの上に床面板を貼ってパネル化した蓄熱床暖房パネルにおいて、蓄熱ボードの適所に蓄熱材を介さず筐体の上面板部と下面板部とを重合した重合部を設けると共にこの重合部に上下に貫通する固定穴を穿孔し、電線の端部を差し込み接続し得るコネクターを温度センサーにリード線を介して接続し、蓄熱ボードの隅部で蓄熱ボードの上面に取り付け基板を配置すると共に取り付け基板の取り付け穴と上記固定穴とを対応させてこれらの間に挿通した固着具にて取り付け基板を蓄熱ボードに取り付け、上記温度センサーやコネクターやリード線を蓄熱ボードと床面板との間に介装し、コネクターを上記取り付け基板の上に載せて固着具にて固着して成ることを特徴とする蓄熱床暖房パネルの温度センサーの端子取り付け構造。
【請求項２】
取り付け基板にコネクターの側面に沿う立ち上がり片を一体に設けたことを特徴とする請求項１記載の蓄熱床暖房パネルの温度センサーの端子取り付け構造。
【請求項３】
取り付け基板の上面に複数個の載置台を突設すると共に載置台と床面板との間にコネクターを挟持したことを特徴とする請求項１または請求項２記載の蓄熱床暖房パネルの温度センサーの端子取り付け構造。
【請求項４】
蓄熱ボードの周縁に立ち上げた立ち上がり壁に沿う出っ張り部を取り付け基板から一体に連出したことを特徴とする請求項１乃至請求項３のいずれかに記載の蓄熱床暖房パネルの温度センサーの端子取り付け構造。
【発明の詳細な説明】
【０００１】
【発明の属する技術分野】
本発明は、蓄熱した熱を放熱することにより床暖房する蓄熱床暖房パネルで蓄熱材の温度を検出するための温度センサーを取り付ける構造に関するものである。
【０００２】
【従来の技術及び発明が解決しようとする課題】
従来、この種の蓄熱床暖房パネルを用いた蓄熱床暖房システムとしては本特許出願人が先に出願して特許された特許第３１０２７８８号がある。これの制御は温度センサーを蓄熱材の上に埋め込んで配置し、コントローラと温度センサーとを接続し、温度センサーの検出する温度を見てヒータの制御や蓄熱量予測運転を行うようになっている。
【０００３】
従来、温度センサーを取り付けるとき現場で組み込んでいるが、施工性が悪いという問題があると共に施工により精度がばらつくという問題がある。この問題をなくすために図６に示すような構造も採用されている。蓄熱床暖房パネルＡはヒータブロック１の上に蓄熱ボード２を積層し、蓄熱ボード２の上に床面板３を積層して形成されるが、工場で組み立てるときに予め蓄熱ボード２と床面板３との間に温度センサー４を介装し、温度センサー４に繋がったリード線５を蓄熱床暖房パネルＡの側端から引き出し、ＶＶＦケーブルのような電線の端部を差し込み接続し得るコネクター７をリード線５に接続し、コネクター７を床面板３に埋設してある。
【０００４】
かかる従来例では温度センサー４は工場で予め組み込まれているために現場での温度センサー４の設置の手間を要しないと共に蓄熱材の温度変化が安定して読み取ることができる。また現場でＶＶＦケーブルのような電線を接続するときは電線の端部をコネクター７に差し込むだけで接続できて施工性を向上できると共にパネルの破損を防止できる。またパネル輸送中にコネクター７が外れたりする虞れもない。しかしながら、温度センサー４とコネクター７との間のリード線５が露出していために施工時等に足を引っ掛けたりして断線したりするという問題がある。
【０００５】
本発明は叙述の点に鑑みてなされたものであって、施工性が良く、しかも施工時に断線したりする虞れがない蓄熱床暖房パネルの温度センサーの端子の取り付け構造を提供することを課題とする。
【０００６】
【課題を解決するための手段】
上記課題を解決するため本発明の蓄熱床暖房パネルの温度センサーの端子の取り付け構造は、ヒータブロック１の上に蓄熱ボード２を積層すると共に蓄熱ボード２の上に床面板３を貼ってパネル化した蓄熱床暖房パネルＡにおいて、蓄熱ボード２の適所に蓄熱材８を介さず筐体９の上面板部９ａと下面板部９ｂとを重合した重合部１０を設けると共にこの重合部１０に上下に貫通する固定穴１１を穿孔し、電線の端部を差し込み接続し得るコネクター７を温度センサー４にリード線５を介して接続し、蓄熱ボード２の隅部で蓄熱ボード２の上面に取り付け基板１２を配置すると共に取り付け基板１２の取り付け穴１３と上記固定穴１１とを対応させてこれらの間に挿通した固着具１４にて取り付け基板１２を蓄熱ボード２に取り付け、上記温度センサー４やコネクター７やリード線５を蓄熱ボード２と床面板３との間に介装し、コネクター７を上記取り付け基板１２の上に載せて固着具１５にて固着して成ることを特徴とする。上記のように温度センサー４やリード線５やコネクター７を予め組み込んだことにより現場でも施工性がよいと共に蓄熱材８の温度変化を安定よく読み取ることできる。リード線５も露出しないために施工時に断線したりするおそれがない。蓄熱ボード２の適所に蓄熱材８を介さず筐体９の上面板部９ａと下面板部９ｂとを重合した重合部１０を設けると共にこの重合部１０に上下に貫通する固定穴１１を穿孔し、蓄熱ボード２の隅部で蓄熱ボード２の上面に取り付け基板１２を配置すると共に取り付け基板１２の取り付け穴１３と上記固定穴１１とを対応させてこれらの間に挿通した固着具１４にて取り付け基板１２を蓄熱ボード２に取り付けたことにより、取り付け基板１２を介してコネクター７を蓄熱ボード２に簡単且つ確実に取り付けることでき、しかも固定穴１１の位置が蓄熱床暖房パネルＡの端縁から離れていても取り付け基板１２を介してコネクター７が蓄熱床暖房パネルＡの端縁近くになるように取り付けることができ、コネクター７への電線の接続が容易にできる。
【０００７】
また取り付け基板１２にコネクター７の側面に沿う立ち上がり片１６を一体に設けたことを特徴とすることも好ましい。この場合、コネクター７の側面が立ち上がり片１６に沿って位置決めされ、１つの固着具１５にて取り付け基板１２にコネクター７を取り付けるものでもコネクター７が回転したりしないように安定よく取り付けることができる。
【０００８】
また取り付け基板１２の上面に複数個の載置台１７を突設すると共に載置台１７と床面板３との間にコネクター７を挟持したことを特徴とすることも好ましい。取り付け基板１２の載置台１７と床面板３との間にコネクター７を挟持したことによりコネクター７が上下にがたついたりしないように取り付けることできてコネクター７を安定よく取り付けることができる。
【０００９】
また蓄熱ボード２の周縁に立ち上げた立ち上がり壁１８に沿う出っ張り部１９を取り付け基板１２から一体に連出したことを特徴とすることも好ましい。この場合、出っ張り部１９が立ち上がり壁１８に当たることで取り付け基板１２を１つの固着具１４で固着するものでも取り付け基板１２が回転することなく取り付けることができ、ひいてはコネクター７を安定よく取り付けることができる。
【００１０】
【発明の実施の形態】
蓄熱床暖房パネルＡは図２に示すようにヒータブロック１、蓄熱ボード２、放熱アクチュエータ、床面板３を組み合わせてパネル化したもので、床下地の上に並べて敷設することにより床暖房装置を施工するものである。蓄熱ボード２は偏平な矩形箱状で内部が空間となった筐体９の周縁に立ち上がり壁１８を設けてあり、筐体９内の空間内に潜熱蓄熱材のような蓄熱材８を装填して形成されている。かかる蓄熱ボード２はポリプロピレンのような合成樹脂にて一体に形成されている。ヒータブロック１は矩形シート状に形成されるものであって、アルミニウム箔のような均熱シートの下面にコードヒータを一体に装着して形成されており、このヒータブロック１は蓄熱ボード２の下面側に装着してある。
【００１１】
蓄熱ボード２の立ち上がり壁１８の上端上には蓄熱ボード２の上面上の全面を覆うように合板のような床面板３を配置してあり、蓄熱ボード２と床面板１３とを一体化してある。床面板３の下面側には放熱制御アクチュエータを配置してあり、放熱制御アクチュエータを立ち上がり壁１８内に収納してある。この放熱制御アクチュエータは空気を出し入れすることにより膨張収縮する袋体よりなり且つ膨張収縮により蓄熱材８から放熱される放熱量を制御するものである。
【００１２】
床面板３には放熱制御アクチュエータと連通して空気を送るための横送り用接続口２０と縦送り用接続口２１を設けてあり、蓄熱床暖房パネルＡを並べて敷設したとき複数の蓄熱床暖房パネルＡの放熱制御アクチュエータとが連通するようになっている。床面板３の上面には電気配線用の横接続用凹部２２と縦接続用凹部２３とが穿設してあり、横接続用凹部２２の長手方向の中央には横接続コネクター２４を収納して設置してあり、この横接続コネクター２４とヒータブロック１とを電気配線の接続線２５にて接続してある。また電気配線の横送り線２６は横接続用凹部２２に収納するように挿通してあり、横送り線２６の端部を横接続コネクター２４に接続してある。また縦接続用凹部２３には縦接続コネクター２７を収納して設置してあり、この縦接続コネクター２７とヒータブロック１とを電気配線の接続線２５にて接続してある。
【００１３】
上記蓄熱床暖房パネルＡの蓄熱ボード２の筐体９の適所には筐体９の上面板部９ａと下面板部９ｂとを重合させて結合した重合部１０が形成される。つまり、上面板部９ａには有底逆円錐台筒状の凹曲部２８が設けられ、下面板部９ｂには有底円錐台筒状の凸曲部２９が設けられ、凹曲部２８の底部と凸曲部２９の底部とが互いに融着されている。このように凹曲部２８と凸曲部２９とを設けて底部同士が融着した重合部１０を設けることにより補強リブの働きをするようになる。重合部１０に補強のための機能を持たせる場合には図３に示すように径の小さい凹曲部２８と凸曲部２９とを設けてこれらを重合する。重合部１０に補強と固定の機能を持たせる部分では図４に示すように径の大きな凹曲部２８と凸曲部２９を設けてこれらを重合し、重合部１０に上下に貫通するように固定穴１１を穿孔してある。
【００１４】
ＶＶＦケーブルのような電線の端部を差し込み接続できるコネクター７は温度センサー４とリード線５を介して接続してある。この温度センサー４とコネクター７とリード線５は蓄熱床暖房パネルＡを工場で組み立てるとき蓄熱ボード２と床面板３との間に介装して取り付けられ、取り付け基板１２を介して取り付けられる。上記蓄熱ボード２の上面の周縁には略全周に亙るように立ち上がり壁１８を設けてあるが、矩形状の蓄熱ボード２の四隅のうち蓄熱材８の注入口３０がある隅部では成形上の都合、立ち上がり壁１８を設けることなく、切欠部３１となっている。また上記固定穴１１を重合部１０に設けるとき、注入口３０付近に重合部１０を設けて固定穴１１を設けるが、この注入口３０に近い位置には重合部１０や固定穴１１を形成することができなく、また蓄熱ボード２には周縁に立ち上がり壁１８があるためにこれらより外側に形成できない。このために取り付け基板１２を取り付けるための固定穴１１を設ける位置は蓄熱床暖房パネルＡの端縁から相当離れた位置であり、図１に示すような取り付け基板１２を用いて取り付けられる。取り付け基板１２は長方形状の板であって、取り付け基板１２を取り付けるための取り付け穴１３を取り付け基板１２の長手方向の一端側に上下に貫通するように穿孔してあり、取り付け基板１２にコネクター７を取り付けるための取り付け穴３３を取り付け基板１２の他端側に穿孔してある。これにより取り付け基板１２を固定する固定穴１１が蓄熱床暖房パネルＡの周縁から離れていてもコネクター７を取り付けるための取り付け穴３３を蓄熱床暖房パネルＡの周縁に近づけることができる。
【００１５】
取り付け基板１２を取り付ける場合に取り付け基板１２の取り付け穴１３と蓄熱ボード２の固定穴１１とが対応させられ、これらの間に固着具１４を挿通して締結されて図５に示すように取り付け基板１２が固定される。この固着具１４は例えばボルト１４ａとナット１４ｂである。取り付け基板１２から一体に出っ張り部１９を連出してあり、この出っ張り部１９の先端を立ち上がり縁１８に当接してあり、これにより１つの固着具１４で取り付け基板１２を固定するものでも取り付け基板１２が回転しないように確実に取り付けることができる。取り付け基板１２のコネクター７を取り付ける部分には一対の載置台１７を突設してあり、一方の載置台１７のうち一方には取り付け穴３３を設けてある。かかる取り付け穴３３は本例の場合雌ねじ穴になっている。
【００１６】
コネクター７は載置台１７の上に載置され、コネクター７に上下方向に貫通するように穿孔した固定穴３５と上記取り付け穴３３とが対応させられ、ビスのような固着具１５が固定穴３５に挿通されて取り付け穴３３に螺合することによりコネクター７が取り付けられる。取り付け基板１２にはコネクター７の側面に沿うように立ち上がり片１６を設けてあり、これによりコネクター７を１つの固着具１５で固着するものでもコネクター７が回転しないように取り付けることができる。コネクター７を取り付けるときコネクター７を載置台１７の上に載置するためにコネクター７が載置台１７と床面板３との間に挟まれてコネクター７が上下にがたつかないように取り付けることができる。またコネクター７を取り付けた位置に対応する部分では立ち上げ壁１８の上部を切り欠いた凹欠部３６を設けてあり、この凹欠部３６より電線の端部を挿入してコネクター７に接続できるようになっている。この凹欠部３６のある位置の立ち上がり壁１８の高さＨと取り付け基板１２の下面から載置台１７の上面までの高さＨとは同じ高さとなっている。
【００１７】
上記のように蓄熱ボード２の蓄熱材８を入れる注入口３０の部分で立ち上がり壁１８のない位置を利用して温度センサー４やコネクター７を取り付けることができる。また上記のようにコネクター７を取り付けることで蓄熱床暖房パネルＡの内部にごみや施工者の手などの進入を防止し、内部の放熱アクチュエータの保護の効果がある。また温度センサー４とコネクター７を接続するリード線５を蓄熱ボード２と床面板３との間の囲まれた部分に配置するので施工現場での断線の不安がない。又そのための電線の強度確保が不要なのでリード線５の細線化によるコストダウンが可能になる。またコネクター７を取り付け基板１２にて上記のように左右上下に動かないように取り付けることができ、コネクター７に接続する電線の押し込み力を確実に電線挿入に利用でき、スムーズに結線できる。このため、施工者が過大な荷重をかけず、蓄熱床暖房パネルＡの破壊防止になる。
【００１８】
【発明の効果】
本発明の請求項１の発明は、蓄熱ボードの適所に蓄熱材を介さず筐体の上面板部と下面板部とを重合した重合部を設けると共にこの重合部に上下に貫通する固定穴を穿孔し、電線の端部を差し込み接続し得るコネクターを温度センサーにリード線を介して接続し、蓄熱ボードの隅部で蓄熱ボードの上面に取り付け基板を配置すると共に取り付け基板の取り付け穴と上記固定穴とを対応させてこれらの間に挿通した固着具にて取り付け基板を蓄熱ボードに取り付け、上記温度センサーやコネクターやリード線を蓄熱ボードと床面板との間に介装し、コネクターを上記取り付け基板の上に載せて固着具にて固着しているので、温度センサーやリード線やコネクターが予め組み込まれていて現場での施工性がよいと共に蓄熱材の温度変化を安定よく読み取ることできるものであり、しかもリード線も露出しないために施工時に断線したりするおそれがないものであり、また蓄熱ボードの適所に蓄熱材を介さず筐体の上面板部と下面板部とを重合した重合部を設けると共にこの重合部に上下に貫通する固定穴を穿孔し、蓄熱ボードの隅部で蓄熱ボードの上面に取り付け基板を配置すると共に取り付け基板の取り付け穴と上記固定穴とを対応させてこれらの間に挿通した固着具にて取り付け基板を蓄熱ボードに取り付けたので、取り付け基板を介してコネクターを蓄熱ボードに簡単且つ確実に取り付けることできるのであり、しかも固定穴の位置が蓄熱床暖房パネルの端縁から離れていても取り付け基板を介してコネクターが蓄熱床暖房パネルの端縁近くになるように取り付けることができ、コネクターへの電線の接続が容易にできるものである。
【００１９】
また本発明の請求項２の発明は、請求項１において、取り付け基板にコネクターの側面に沿う立ち上がり片を一体に設けたので、コネクターの側面が立ち上がり片に沿って位置決めされ、１つの固着具にて取り付け基板にコネクターを取り付けるものでもコネクターが回転したりしないように安定よく取り付けることができるものである。
【００２０】
また本発明の請求項３の発明は、請求項１または請求項２において、取り付け基板の上面に複数個の載置台を突設すると共に載置台と床面板との間にコネクターを挟持したので、コネクターが上下にがたついたりしないように取り付けることできてコネクターを安定よく取り付けることができるものである。
【００２１】
また本発明の請求項４の発明は、請求項１乃至請求項３のいずれかにおいて、蓄熱ボードの周縁に立ち上げた立ち上がり壁に沿う出っ張り部を取り付け基板から一体に連出したので、出っ張り部が立ち上がり壁に当たることで取り付け基板を１つの固着具で固着するものでも取り付け基板が回転することなく取り付けることができ、ひいてはコネクターを安定よく取り付けることができるものである。
【図面の簡単な説明】
【図１】本発明の実施の形態の一例の要部の斜視図である。
【図２】同上の蓄熱床暖房パネルの分解斜視図である。
【図３】同上の補強だけのための重合部の部分を示し、（ａ）は平面図、（ｂ）は断面図である。
【図４】同上の固定穴を設ける重合部の部分を示し、（ａ）は平面図、（ｂ）は断面図である。
【図５】同上の固定穴に取り付け基板を固定した状態の断面図である。
【図６】従来例を示す概略断面図である。
【符号の説明】
Ａ  蓄熱床暖房パネル
１  ヒータブロック
２  蓄熱ボード
３  床面板
４  温度センサー
５  リード線
７  コネクター
８  蓄熱材
９  筐体
１０  重合部
１１  固定穴
１２  取り付け基板
１３  取り付け穴
１４  固着具
１５  固着具
１６  立ち上がり片
１７  載置台
１８  立ち上がり壁
１９  出っ張り部
【図１】
0003620461.tif 000002
【図２】
0003620461.tif 000003
【図３】
0003620461.tif 000004
【図４】
0003620461.tif 000005
【図５】
0003620461.tif 000006
【図６】
0003620461.tif 000007